(57)【要約】【課題】ベッドの利用者にとって使い勝手の良いスタンド装置を提供する。【解決手段】複数のユニット１０と、ユニット１０それぞれを上下方向に並べて支持する支柱部２０と、支柱部２０の下端を支持する基部３０と、を備えるスタンド装置１であって、ユニット１０それぞれを支柱部２０から着脱可能に装着することを特徴とする。【選択図】図２
2019205508.tif 000002
【特許請求の範囲】
【請求項１】
複数のユニットと、
前記ユニットそれぞれを上下方向に並べて支持する支柱部と、
前記支柱部の下端を支持する基部と、
を備え、
前記ユニットそれぞれを前記支柱部から着脱可能に装着することを特徴とするスタンド装置。
【請求項２】
前記ユニットは、前記支柱部に対する取付位置が変更可能に構成されることを特徴とする請求項１に記載のスタンド装置。
【請求項３】
前記ユニットは、前記支柱部の予め設定された位置に設置されることを特徴とする請求項１に記載のスタンド装置。
【請求項４】
前記ユニットは、前記支柱部の軸線方向を中心に回転可能に設けられることを特徴とする請求項１に記載のスタンド装置。
【請求項５】
前記ユニットは、前記支柱部に沿って上下方向に移動可能に設けられることを特徴とする請求項１に記載のスタンド装置。
【請求項６】
特定のユニットを前記支柱部に沿って上下方向に移動する駆動装置を備えることを特徴とする請求項５に記載のスタンド装置。
【請求項７】
前記ユニットは、照明装置を含み、
前記照明装置は、少なくとも当該スタンド装置の上部付近を照射する第１の照明装置または前記基部付近を照射する第２の照明手段を含むことを特徴とする請求項１に記載のスタンド装置。
【請求項８】
前記基部は、前記スタンド装置を移動するための移動手段を備えることを特徴とする請求項１に記載のスタンド装置。
【請求項９】
前記基部は、前記移動手段を駆動する駆動装置を備えることを特徴とする請求項８に記載のスタンド装置。
【請求項１０】
前記基部は、少なくともスライドテーブルまたはターンテーブルを備えることを特徴とする請求項１に記載のスタンド装置。
【発明の詳細な説明】
【技術分野】
【０００１】
本発明は、スタンド装置に関する。
【背景技術】
【０００２】
従来、ベッドの利用者は、飲料容器やコップや本等を備え付けの収納棚等に収納する場合がある。ベッド周辺で用いられる収納棚として、床頭台が知られている（例えば、特許文献１参照）。
【先行技術文献】
【特許文献】
【０００３】
【特許文献１】特開２０１７−１９６１６７号公報
【発明の概要】
【発明が解決しようとする課題】
【０００４】
特許文献１の技術では、床頭台における収納部の位置が予め固定されており、例えば利用者が所持品を所望の位置に収納できなかったり、利用者の姿勢やベッドの高さによっては利用者にとって使い勝手が悪い場合があった。
【０００５】
本実施形態は、ベッドの利用者にとって使い勝手の良いスタンド装置を提供する。
【課題を解決するための手段】
【０００６】
本発明は、スタンド装置であって、特定機能を有する複数のユニットと、前記ユニットそれぞれを上下方向に並べて支持する支柱部と、前記支柱部の下端を支持する基部と、を備え、前記ユニットそれぞれを前記支柱部から着脱可能に装着することを特徴とするものである。
【発明の効果】
【０００７】
本発明によれば、ベッドの利用者にとって使い勝手の良いスタンド装置を提供することができる。
【図面の簡単な説明】
【０００８】
【図１】第１実施形態に係るスタンド装置の利用状態を示す説明図である。
【図２】前記スタンド装置の全体の構成を示す説明図である。
【図３】前記スタンド装置の上方視による説明図である。
【図４】前記スタンド装置の構成を示す正面図である。
【図５】前記スタンド装置の構成を示す側面図である。
【図６】前記スタンド装置を構成する第１の収納ユニットの構成を示す説明図である。
【図７】前記第１の収納ユニットの上部の形状を示す説明図である。
【図８】前記第１の収納ユニットの開閉カバーの形状を示す説明図である。
【図９】前記スタンド装置を構成する表示操作モニタユニットの構成を示す説明図である。
【図１０】前記スタンド装置を構成するゴミ箱ユニットの構成を示す説明図である。
【図１１】前記ゴミユニットの構成を示す上方からの説明図である。
【図１２】前記スタンド装置を構成する第２の収納ユニットの構成を示す説明図である。
【図１３】前記第２の収納ユニットの上部の形状を示す説明図である。
【図１４】前記第２の収納ユニットの開閉カバーの形状を示す説明図である。
【図１５】前記スタンド装置の支柱部とユニットとの取付け構造の一例を示す説明図である。
【図１６】前記支柱部の取付け構造の一例を示す説明図である。
【図１７】前記スタンド装置を構成する第１の収納部の収納ケースの構成の一例を示す説明図である。
【図１８】前記収納ケースの構成の一例を示す側面図である。
【図１９】第２実施形態に係るスタンド装置を構成する手すりユニットの構成の一例を示す説明図である。
【図２０】第３実施形態に係るスタンド装置を構成するカメラユニットの構成の一例を示す説明図である。
【発明を実施するための形態】
【０００９】
（第１実施形態）
以下、本発明のスタンド装置を実施するための第１実施形態について図１〜図５を参照して詳細に説明する。
【００１０】
図１に示すように、第１実施形態のスタンド装置１は、例えばベッド装置２の隣に配置して使用する。
【００１１】
（スタンド装置の全体構成）
スタンド装置１は、図２，図３に示すように、複数のユニット１０と、複数のユニット１０を上下方向に並べて支持する支柱部２０と、支柱部２０の下端を支持する基部３０と、を備える。利用者は複数のユニット１０それぞれを支柱部２０に着脱できる。
【００１２】
支柱部２０は、ユニット１０を上下方向に並べて支持することで、複数のユニット１０が外観上は一体もので構成されているように見せている。
【００１３】
ユニット１０は、各々が円柱状または断面円形状を含む形状で構成されており、スタンド装置１の外観、形状やデザインが統一されている。なお、本実施形態ではユニットそれぞれのほぼ円柱状に形成したが、これに限定されることなく例えば角柱状に形成してもよいし、他の形状であってもよい。
【００１４】
図２に示すように、第１実施形態では、ユニット１０は、例えば、照明装置として、スタンド装置１の上部の第１の照明ユニット１１と基部３０付近の第２の照明ユニット１２を備えている。
また、ユニット１０は、収納部として、第１の収納ユニット１３と第２の収納ユニット１５とゴミ箱ユニット１４とを備えている。
また、ユニット１０は、情報機器として、表示操作モニタユニット１６を備えている。
【００１５】
第１実施形態のスタンド装置１においては、図２に示すように、スタンド装置１の上方から下方に向かい、第１の照明ユニット１１、第１の収納ユニット１３、表示操作モニタユニット１６、ゴミ箱ユニット１４、第２の収納ユニット１５、第２の照明ユニット１２が順に配置されている。
【００１６】
（ユニットの構成）
ここで、複数のユニット１０の構成について図２〜図１４を参照して説明する。
【００１７】
複数のユニット１０は、図３に示すように、上方からの平面視でそれぞれの外形がほぼ重なるように、同じ大きさの円状の断面形状を有する。また、複数のユニット１０は、図４，図５に示すように、円柱状となる。
【００１８】
（第１の照明ユニット）
第１の照明ユニット１１は、支柱部２０の上端部に設けられている。
また、第１の照明ユニット１１は、図３に示すように、平面視で円板状に構成されている。また、第１の照明ユニット１１は、下側に照射部を備えている。
【００１９】
（第１の収納ユニット）
第１の収納ユニット１３は、図４，図５に示すように、第１の照明ユニット１１の下方に間隔を置いて設けられている。第１の収納ユニット１３の取付け位置を変更することで、第１の照明ユニット１１と第１の収納ユニット１３との間隔は変更できる。
【００２０】
また、第１の収納ユニット１３は、図６〜図８に示すように、収納部本体１３ａと開閉カバー１３ｂとを有している。
【００２１】
（収納部本体の構成）
収納部本体１３ａは、図６に示すよう、側壁部１３ａ１と天板１３ａ２と底板１３ａ３とカバー１３ａ４とを備えている。
【００２２】
側壁部１３ａ１は、円弧状断面形状を有する略筒状形状に構成されている。
天板１３ａ２は、平面視で円板状に構成されている。
また、天板１３ａ２は、第１の開口部１３ａ２１と第２の開口部１３ａ２２とを備えている。
【００２３】
第１の開口部１３ａ２１は、天板１３ａ２の外周縁に近い位置に形成されている。
また、第１の開口部１３ａ２１は、天板１３ａ２の外周縁に沿って長い略楕円形状で形成されている。そして、第１の開口部１３ａ２１は、支柱部２０が貫通可能に形成されている。
【００２４】
第２の開口部１３ａ２２は、天板１３ａ２の中心部付近に形成されている。
また、第２の開口部１３ａ２２は、例えば、略矩形状で形成されている。
また、第２の開口部１３ａ２２は、例えば、３箇所に並んで形成されている。
なお、第２の開口部１３ａ２２は、上述した形状や個数に限定されない。
【００２５】
底板１３ａ３は、平面視で円板状に構成されている。
また、底板１３ａ３は、第３の開口部１３ａ３１が形成されている。
【００２６】
第３の開口部１３ａ３１は、底板１３ａ３の外周縁に近い位置に形成されている。
また、第３の開口部１３ａ３１は、底板１３ａ３の外周縁に沿って長い略楕円形状に形成されている。そして、第３の開口部１３ａ３１は、支柱部２０が貫通可能に形成されている。
【００２７】
カバー１３ａ４は、湾曲した断面形状で構成されている。
また、カバー１３ａ４は、側壁部１３ａ１の高さと同じ高さである。
また、カバー１３ａ４は、側壁部１３ａ１に設けられて中空部１３ａ４１を形成している。
【００２８】
中空部１３ａ４１は、側壁部１３ａ１の円弧方向に沿って長い略楕円状の断面形状を有する。そして、中空部１３ａ４１は、支柱部２０が貫通可能に形成されている。
【００２９】
側壁部１３ａ１は、円弧状の内側面１３ａ１１にカバー１３ａ４が設けられる。
側壁部１３ａ１とカバー１３ａ４とは、一体的に形成されたものであってもよい。
【００３０】
側壁部１３ａ１とカバー１３ａ４とで中空部１３ａ４１が形成される。
中空部１３ａ４１は、支柱部２０の断面形状と同じ略楕円形状で形成されている。
【００３１】
天板１３ａ２は、側壁部１３ａ１の上端部に配置される。
また、天板１３ａ２は、第１の開口部１３ａ２１を中空部１３ａ４１と対向する位置に配置する。
【００３２】
底板１３ａ３は、側壁部１３ａ１の下端部に配置される。
また、底板１３ａ３は、第３の開口部１３ａ３１を中空部１３ａ４１と対向する位置に配置する。
【００３３】
収納部本体１３ａは、図６，図７に示すように、側壁部１３ａ１と天板１３ａ２と底板１３ａ３とカバー１３ａ４とで囲まれた収納部（空間）１３ａ５が形成される。
収納部１３ａ５は、側壁部１３ａ１に包囲されない部分が開口している。
第１実施形態では、収納部１３ａ５の側壁部１３ａ１に包囲されない部分を開口部１３ａ５１とする。
【００３４】
（開閉カバーの構成）
開閉カバー１３ｂは、図６〜図８に示すように、円弧状断面形状を有する略筒状形状に構成されている。また、開閉カバー１３ｂは、円弧状断面形状の曲率を側壁部１３ａ１の円弧状断面形状の曲率と同じに構成されている。
【００３５】
開閉カバー１３ｂは、開口部１３ａ５１を閉塞可能な長さで形成されている。
また、開閉カバー１３ｂは、収納部本体１３ａの側壁部１３ａ１と連続するように円弧状断面形状で形成されている。
【００３６】
また、開閉カバー１３ｂは、図８に示すように、一側端にツバ部１３ｂ１が外側に突出形成されている。ツバ部１３ｂ１は、開閉カバー１３ｂを開閉するときに、利用者の指が掛かるようになっている。
【００３７】
第１の収納ユニット１３は、開閉カバー１３ｂを開いて収納部本体１３ａ内に容易に収納物を収納することができる。
また、第１の収納ユニット１３は、天板１３ａ２の第２の開口部１３ａ２２から、第１の照明ユニット１１の照射光を収納部本体１３ａの内部に取り込むことができる。
【００３８】
なお、例えば、収納部本体１３ａ内に照明手段を配置して、収納部本体１３ａ内を照射する構成としたときには、第２の開口部１３ａ２２から漏れる光により第１の収納ユニット１３の周辺を明るくすることができる。
【００３９】
さらに、第１の収納ユニット１３は、図２，図４に示すように、収納部本体１３ａの内部に、例えば収納ケース１３１を設置できる。
【００４０】
収納ケース１３１は、収納部１３１ａと電源部１３１ｂとを備えている。
収納部１３１ａは、リモコン装置等の端末機が収納可能に構成されている。
電源部１３１ｂは、電気コンセントやＵＳＢプラグが設けられている。これにより、電源部１３１ｂは、他の端末機等への電気供給を行なうことができる。
【００４１】
（表示操作モニタユニット）
図４，図５，に示すように、第１の収納ユニット１３の下方には表示操作モニタユニット１６が設けられている。
表示操作モニタユニット１６は、図４，図５，図９に示すように、表示モニタ１６ａと、取付部１６ｂと、支持部１６ｃとを備える。
【００４２】
表示モニタ１６ａは、タッチ操作機能を備える。
また、表示モニタ１６ａは、外部から送信された情報を表示する機能を備える。
【００４３】
取付部１６ｂは、平面視で円板状に構成されている。
そして、取付部１６ｂは、平面視で、第１の収納ユニット１３の天板１３ａ２や底板１３ａ３と同じ大きさの円状に形成されている。
【００４４】
また、取付部１６ｂは、第１の開口部１６ｂ１を備えている。
第１の開口部１６ｂ１は、取付部１６ｂの外周縁に近い位置に形成されている。
また、第１の開口部１６ｂ１は、取付部１６ｂの外周縁に沿って長い略楕円形状で形成されている。そして、第１の開口部１６ｂ１は、支柱部２０が貫通可能に形成されている。
【００４５】
支持部１６ｃは、取付部１６ｂの中心付近に設けられている。
また、支持部１６ｃは、例えばリンク機構で構成されている。
【００４６】
リンク機構は、第１のリンク部材１６ｃ１と第２のリンク部材１６ｃ２とを備えている。第１のリンク部材１６ｃ１は、一端側が取付部１６ｂに連結される。また、第１のリンク部材１６ｃ１は、他端側が第２のリンク部材１６ｃ２の一端側に連結されている。
第２のリンク部材１６ｃ２は、他端側が表示モニタ１６ａに連結されている。
【００４７】
表示操作モニタユニット１６は、図９に示すように、取付部１６ｂに支持部１６ｃを介して表示モニタ１６ａを回動可能（図中の矢印方向）に支持することで、表示モニタ１６ａの取付位置や取付向きを変更可能にできる。
なお、支持部１６ｃの構成は、前述した構成に限定されるものではない。
【００４８】
（ゴミ箱ユニット）
ゴミ箱ユニット１４は、図４，図５，に示すように、表示操作モニタユニット１６の下方に設けられている。
ゴミ箱ユニット１４は、図１０に示すように、ゴミ容器本体１４ａと開閉カバー１４ｂと上部カバー１４ｃとを有している。
【００４９】
（ゴミ容器本体の構成）
ゴミ容器本体１４ａは、図１０，図１１に示すよう、側壁部１４ａ１と底板１４ａ３とカバー１４ａ４とを備えている。
【００５０】
側壁部１４ａ１は、円弧状断面形状を有する略筒状形状に構成されている。
底板１４ａ３は、平面視で円板状に構成されている。
また、底板１４ａ３は、第１の開口部１４ａ３１が形成されている。
【００５１】
第１の開口部１４ａ３１は、底板１４ａ３の外周縁に近い位置に形成されている。
また、第１の開口部１４ａ３１は、底板１４ａ３の外周縁に沿って長い略楕円形状に形成されている。そして、第１の開口部１４ａ３１は、支柱部２０が貫通可能に形成されている。
【００５２】
カバー１４ａ４は、湾曲した断面形状で構成されている。
また、カバー１４ａ４は、側壁部１４ａ１の高さで形成されている。
また、カバー１４ａ４は、側壁部１４ａ１に設けられて中空部１４ａ４１を形成している。
【００５３】
中空部１４ａ４１は、側壁部１４ａ１の円弧方向に沿って長い略楕円状の断面形状を有する。そして、中空部１４ａ４１は、支柱部２０が貫通可能に形成されている。
【００５４】
側壁部１４ａ１は、円弧状の内側面１４ａ１１にカバー１４ａ４が設けられる。
側壁部１４ａ１とカバー１４ａ４とは、一体的に形成されたものであってもよい。
【００５５】
側壁部１４ａ１とカバー１４ａ４とで中空部１４ａ４１が形成される。
中空部１４ａ４１は、支柱部２０の断面形状と同じ略楕円形状で形成されている。
【００５６】
底板１４ａ３は、側壁部１４ａ１の下端部に配置される。
底板１４ａ３は、第１の開口部１４ａ３１を中空部１３ａ４１と対向する位置に配置する。
【００５７】
ゴミ容器本体１４ａは、図１０，図１１に示すように、側壁部１４ａ１と底板１４ａ３とカバー１４ａ４とで囲まれた収納部（空間）１４ａ５が形成される。
収納部１４ａ５は、側壁部１４ａ１に包囲されない部分が開口している。
第１実施形態では、収納部１４ａ５の側壁部１４ａ１に包囲されない部分を開口部１４ａ５１とする。
【００５８】
（開閉カバーの構成）
開閉カバー１４ｂは、図１０，図１０に示すように、円弧状断面形状を有する略筒状形状に構成されている。また、開閉カバー１４ｂは、円弧状断面形状の曲率を側壁部１４ａ１の円弧状断面形状の曲率と同じに構成されている。
【００５９】
開閉カバー１４ｂは、開口部１４ａ５１を閉塞可能な長さで形成されている。
また、開閉カバー１４ｂは、ゴミ容器本体１４ａの側壁部１４ａ１と連続するように円弧状断面形状で形成されている。
【００６０】
開閉カバー１４ｂの下端部は、ゴミ容器本体１４ａの下側に設けられた支持部１４ｄに回動可能に支持されている。開閉カバー１４ｂは、支持部１４ｄを支点として、開閉カバー１４ｂの上端部が外側に回動して開閉する。
【００６１】
（上部カバーの構成）
上部カバー１４ｃは、図１０，図１１に示すように、平面視でリング状に構成されている。そして、上部カバー１４ｃは、外形の一部が側壁部１４ａ１の円弧状断面形状と一致するように構成されている。そして、上部カバー１４ｃは、ゴミ容器本体１４ａの上端部に配置される。
【００６２】
例えば、ゴミ容器本体１４ａ内にビニール袋等を配置する場合に、ビニール袋の開口側端部を上部カバー１４ｃとゴミ容器本体１４ａの上端部とで挟み込む。このようにすることで、上部カバー１４ｃの開口部１４ｃ１から投入されたゴミを簡単にビニール袋内に収容することができる。
【００６３】
ゴミ容器本体１４ａからゴミを回収する場合は、開閉カバー１４ｂを開放して、ゴミ容器本体１４ａから上部カバー１４ｃを外すことで、ゴミ容器本体１４ａから簡単にビニール袋を取り出すことができる。
【００６４】
（第２の収納ユニット）
第２の収納ユニット１５は、図４，図５に示すように、ゴミ箱ユニット１４の下方に設けられている。
【００６５】
また、第２の収納ユニット１５は、図１２〜図１４に示すように、収納部本体１５ａと開閉カバー１５ｂとを有している。
【００６６】
（収納部本体の構成）
収納部本体１５ａは、図１２に示すよう、側壁部１５ａ１と天板１５ａ２と底板１５ａ３とカバー１５ａ４とを備えている。
【００６７】
側壁部１５ａ１は、円弧状断面形状を有する略筒状形状に構成されている。
天板１５ａ２は、平面視で円板状に構成されている。
また、天板１５ａ２は、第１の開口部１５ａ２１を備えている。
【００６８】
第１の開口部１５ａ２１は、天板１５ａ２の外周縁に近い位置に形成されている。
また、第１の開口部１５ａ２１は、天板１５ａ２の外周縁に沿って長い略楕円形状で形成されている。そして、第１の開口部１５ａ２１は、支柱部２０が貫通可能に形成されている。
【００６９】
底板１５ａ３は、平面視で円板状に構成されている。
また、底板１５ａ３は、第３の開口部１５ａ３１が形成されている。
【００７０】
第３の開口部１５ａ３１は、底板１５ａ３の外周縁に近い位置に形成されている。
また、第３の開口部１５ａ３１は、底板１５ａ３の外周縁に沿って長い略楕円形状に形成されている。そして、第３の開口部１５ａ３１は、支柱部２０が貫通可能に形成されている。
【００７１】
カバー１５ａ４は、湾曲した断面形状で構成されている。
また、カバー１５ａ４は、側壁部１５ａ１の高さと同じ高さである。
また、カバー１５ａ４は、側壁部１５ａ１に設けられて中空部１５ａ４１を形成している。
【００７２】
中空部１５ａ４１は、側壁部１５ａ１の円弧方向に沿って長い略楕円状の断面形状を有する。そして、中空部１５ａ４１は、支柱部２０が貫通可能に形成されている。
【００７３】
側壁部１５ａ１は、円弧状の内側面１５ａ１１にカバー１５ａ４が設けられる。
側壁部１５ａ１とカバー１５ａ４とは、一体的に形成されたものであってもよい。
【００７４】
側壁部１５ａ１とカバー１５ａ４とで中空部１５ａ４１が形成される。
中空部１５ａ４１は、支柱部２０の断面形状と同じ略楕円形状で形成されている。
【００７５】
天板１５ａ２は、側壁部１５ａ１の上端部に配置される。
天板１５ａ２は、第１の開口部１５ａ２１を中空部１５ａ４１と対向する位置に配置する。
【００７６】
底板１５ａ３は、側壁部１５ａ１の下端部に配置される。
底板１５ａ３は、第３の開口部１５ａ３１を中空部１５ａ４１と対向する位置に配置する。
【００７７】
収納部本体１５ａは、図１２，図１３に示すように、側壁部１５ａ１と天板１５ａ２と底板１５ａ３とカバー１５ａ４とで囲まれた収納部（空間）１５ａ５が形成される。
収納部１５ａ５は、側壁部１５ａ１に包囲されない部分が開口している。
第１実施形態では、収納部１５ａ５の側壁部１５ａ１に包囲されない部分を開口部１５ａ５１とする。
【００７８】
（開閉カバーの構成）
開閉カバー１５ｂは、図１２〜図１４に示すように、円弧状断面形状を有する略筒状形状に構成されている。また、開閉カバー１５ｂは、円弧状断面形状の曲率を側壁部１５ａ１の円弧状断面形状の曲率と同じに構成されている。
【００７９】
開閉カバー１５ｂは、開口部１５ａ５１を閉塞可能な長さで形成されている。
また、開閉カバー１５ｂは、収納部本体１５ａの側壁部１５ａ１と連続するように円弧状断面形状で形成されている。
【００８０】
また、開閉カバー１５ｂは、図１４に示すように、支持部１５ｂ１を２箇所に備えている。支持部１５ｂ１は蝶番である。開閉カバーと側壁部１５ａ１とは、図１２に示すように、支持部１５ｂ１により連結されている。
【００８１】
開閉カバー１５ｂは、支持部１５ｂ１を支点として回動可能に側壁部１５ａ１に取り付けられる。
【００８２】
また、開閉カバー１５ｂは、図１４に示すように、他端側に切り欠き部１５ｂ２が形成されている。切り欠き部１５ｂ２は、開閉カバー１５ｂを開閉するときに、利用者の指が掛かるようになっている。
【００８３】
第２の収納ユニット１５は、開閉カバー１５ｂを開いて収納部本体１３ａ内に容易に収納物を収納することができる。
【００８４】
（第２の照明ユニット）
図４，図５に示すように、第２の照明ユニット１２は、第２の収納ユニット１５の底板１５ｄの下側に設けられている。また、第２の照明ユニット１２は、平面視で円板状に構成されている。また、第２の照明ユニット１２は、下側に照射部を備えている。
【００８５】
第２の照明ユニット１２は、図４，図５に示すように、基部３０の上方に間隔を置いて設けられている。第２の照明ユニット１２の取付け位置を変更することで、第２の照明ユニット１２と基部３０との間隔は変更できる。
【００８６】
なお、第２の照明ユニット１２は、第１の照明ユニット１１のように別ユニットで構成して、個別に取付けるようにしてもよい。
【００８７】
（支柱部とユニットとの取付け構造）
次に、スタンド装置１における支柱部２０とユニット１０との取付け構造について図１５，図１６を参照して説明する。
【００８８】
（支柱部の構成）
支柱部２０は、図１５，図１６に示すように、略楕円状の断面形状の柱状体である。
また、支柱部２０は、側面２０ａに第１の取付部２２が形成されている。
また、支柱部２０は、中空部２１が形成されている。
また、支柱部２０は、中空部２１に電気配線５０が収容される。
また、支柱部２０は、中空部２１と外側とを連通する開口部２６が形成されている。
【００８９】
中空部２１は、支柱部２０の長手方向に沿って全長にわたり形成されている。
【００９０】
第１の取付部２２は、支柱部２０の長手方向に沿って２列の溝２３，２３が形成されている。溝２３は、支柱部２０の長手方向に沿って平行に形成されている。
溝２３には、複数の第１の取付穴（ネジ穴）２４が形成されている。
【００９１】
第１実施形態では、支柱部２０は、幅方向に広い側面２０ａに第１の取付部２２が形成される。
【００９２】
（ユニットの構成）
ユニット１０は、図１５に示すように、外周部１０ａに第２の取付部１２２が形成されている。
【００９３】
第２の取付部１２２は、支柱部２０の溝２３に対応する凸部１２３を備える。
凸部１２３は、２列の溝２３に対応して２箇所に形成されている。
【００９４】
また、第２の取付部１２２は、第１の取付穴２４に対応する第２の取付穴１２４を備える。
第２の取付穴１２４は、２列の溝２３の第１の取付穴２４に対応して形成されている。
取付ネジ６０は、第２の取付穴１２４を通って第１の取付穴２４に螺合される。
【００９５】
ユニット１０は、取付ネジ６０により支柱部２０に着脱可能に取付けられる。
また、ユニット１０の支柱部２０に対する取付け位置は、第１の取付部２２に対して第２の取付部１２２を取付ける位置を変更することで変更できる。
【００９６】
（基部の構成）
基部３０は、平面視で円板状に構成されている。
また、基部３０は、図４，図５に示すように、支柱部２０を垂直方向に支持している。
【００９７】
また、基部は、例えば、底部にターンテーブルを備えることで、セット位置において、スタンド装置１を回転移動することができる。
【００９８】
また、基部３０の構成として、例えば、底部に図示しない移動用キャスタや移動用ローラ等の移動手段を備えることで、スタンド装置１を移動することができる。
【００９９】
また、基部３０の構成として、さらに、移動手段による移動を制限するストッパ装置を備えることで、所望の位置まで移動したスタンド装置１を動かないように設置することができる。
【０１００】
さらに、基部３０の構成として、移動手段を駆動する駆動手段を備えることで、ベッドの利用者がスタンド装置１を使用する場合やスタンド装置１を使用しない場合に応じて、スタンド装置１を特定の位置に移動するように制御することができる。
【０１０１】
以上のように構成したので、第１実施形態によれば、スタンド装置１において、複数のユニット１０と、ユニット１０それぞれを上下方向に並べて支持する支柱部２０と、支柱部２０の下端を支持する基部３０と、を備え、ユニット１０それぞれを支柱部２０から着脱可能に装着することで、ベッドの利用者に応じて所望のユニット１０に変更したり、特定のユニット１０の設置位置を変えたりできる。これにより、ベッド利用者の状態や病院施設の状況に応じて、必要な機能を持ったユニット１０を選択し装着することを実現できる。
【０１０２】
また、第１実施形態では、複数のユニット１０の外観形状をほぼ同じ形状とすることで、突出部などを少なくしてベッドの利用者や介護者にとって安全に使用することができる。
【０１０３】
また、第１実施形態では、支柱部２０へのユニット１０の取付は、ユニット１０の第２の取付部１２２に対応して支柱部２０に第１の取付穴２４を形成することにより、着脱可能に構成することができる。
【０１０４】
変形例として、例えば、トップライトや脚下灯などのように取付け位置が決まっている特定のユニット１０に対応して、溝２３のピッチ間隔を変更したり、溝２３の片側に穴を開けることで、取付け位置を限定するようにしてもよい。
このように構成することで、特定のユニット１０を特定の位置に取付けることができる。
【０１０５】
例えば、多くのものを収納可能な大きな収納ユニットは、収納物によって重くなることがあるため、高い位置に取付けられると転倒し易くなるので、低い位置にしか取付けができないようにすることで、スタンド装置１の重心を低くすることができ、安全性を高めることができる。
【０１０６】
また、第１実施形態では、ユニット１０の取付け位置を変更可能に構成することで、ベッドの利用者の状態や趣向に応じてユニット１０の位置を設定することができる。
【０１０７】
また、例えばユニット１０を、テーブル部を備えたテーブルユニットとして構成して、テーブル部の底部にスライドテーブルを備えることで、テーブル部を移動可能にするようしてもよい。
【０１０８】
また、変形例として、例えば、特定のユニット１０が支柱部２０に沿って移動するように駆動する駆動手段を備え、特定のユニット１０を上下方向に移動可能となるようにしてもよい。このように構成することで、例えば、ベッドの高さやベッドの利用者の姿勢に応じてユニット１０を適当な位置に移動することができる。
【０１０９】
具体的には、ユニット１０を移動する搬送スクリュ等の搬送手段を支柱部２０内に（または支柱部２０に沿って）設けて、駆動手段により搬送手段を駆動させることで、ユニットを移動するようにしてもよい。
【０１１０】
また、第１実施形態では、スタンド装置１に表示操作モニタユニット１６を備えることで、ベッド装置側でベッドの利用者や管理者が必要に応じて情報を確認できる。
【０１１１】
また、第１実施形態では、一本の支柱部２０により複数のユニット１０を支持するように構成しているが、例えば、支柱部２０に加えて補助的な支柱を配置したり、複数の支柱によりユニット１０を支持するものであってもよい。
【０１１２】
なお、第１実施形態では、第１の収納ユニット１３の構成の一例として、収納部本体１３ａ内部に別体で構成した収納ケース１３１を装着可能に構成している。
以下に、収納ケース１３１について図面を参照して説明する。
【０１１３】
収納ケース１３１は、第１の収納ユニット１３とは別体で構成されている。
収納ケース１３１は、図１７，図１８に示すように、収納部１３１ａと電源部１３１ｂとを備えて構成されている。
【０１１４】
収納部１３１ａは、電源部１３１ｂの上部に構成されている。電源部１３１ｂのユーザ側の端面１３１ｂ１には、例えば、電気機器用のコンセント、ＵＳＢ端子が設けられている。
ここで、第１の収納ユニット１３のベッドの利用者に向かう側を「ユーザ側」とする。
また、「ユーザ側」と反対側を「反ユーザ側」とする。
【０１１５】
電源部１３１ｂの反ユーザ側の端部には、ユニット側接続部１１０が設けられている。
支柱部２０のユニット側接続部１１０に対応する部分には、支柱側接続部２１０が設けられている。
【０１１６】
支柱側接続部２１０は、支柱部２０の開口部２６に着脱可能に構成されている。
また、支柱側接続部２１０は、開口部２６に沿って上下方向に移動可能に構成されている。また、支柱側接続部２１０は、電気配線５０が接続されている。
【０１１７】
ユニット側接続部１１０と支柱側接続部２１０とを連結することで、電気機器用のコンセントやＵＳＢ端子からの電源供給が可能となる。
【０１１８】
（第２実施形態）
次に、第２実施形態について説明する。
図１９は第２実施形態に係るスタンド装置を構成する手すりユニットの構成の一例を示す説明図である。
【０１１９】
なお、第２実施形態のスタンド装置は、基本構成は第１実施形態のスタンド装置と同様な構成を備えるものであり、同様な構成や機能を有するものは第１実施形態のスタンド装置と同一の符号を付することで説明を省略する。
【０１２０】
第２実施形態に係るスタンド装置１は、第１実施形態の複数のユニット１０に加えて、把持機能を有する手すりユニット１７を備えたことを特徴とするものである。
【０１２１】
手するユニット１７は、第１の開口部１７ａと第２の開口部１７ｂとを備える。
手すりユニット１７は、図１９に示すように、平面視で円板状に形状されている。
そして、手すりユニット１７の外観は、平面視で、第１の収納ユニット１３の天板１３ａ２や底板１３ａ３と同じ大きさの円状に形成されている。
【０１２２】
第１の開口部１７ａは、手すりユニット１７の外周縁に近い位置に形成されている。
また、第１の開口部１７ａは、手すりユニット１７の外周縁に沿って長い略楕円形状で形成されている。そして、第１の開口部１７ａは、支柱部２０が貫通可能に形成されている。
【０１２３】
第２の開口部１７ｂは、第１の開口部１７ａと反対側の手すりユニット１７の外周縁に近い位置に形成されている。また、第２の開口部１７ｂは、外周縁に沿って円弧状に形成されている。
【０１２４】
このように、手すりユニット１７の外周縁に沿って第２の開口部１７ｂを形成することで、第２の開口部１７ｂに沿った外周縁が把持部１７ｃして形成される。
【０１２５】
このように構成することで、第２実施形態によれば、スタンド装置１に手すりユニット１７を備えることで、ベッドの利用者を支える姿勢補助手段として機能するとともに、スタンド装置１が移動可能に構成されている場合は、歩行補助手段として機能することができる。
【０１２６】
（第３実施形態）
次に、第３実施形態について説明する。
図２０は第３実施形態に係るスタンド装置を構成するカメラユニットの構成の一例を示す説明図である。
【０１２７】
なお、第３実施形態のスタンド装置は、基本構成は第１実施形態のスタンド装置と同様な構成を備えるものであり、同様な構成や機能を有するものは第１実施形態のスタンド装置と同一の符号を付することで説明を省略する。
【０１２８】
第３実施形態は、ユニット１０として、第１実施形態の表示操作モニタユニット１６の表示モニタ１６ａに換えて、撮影装置であるカメラ１８ａを備えることでカメラユニット１８としたことを特徴とする。
【０１２９】
カメラユニット１８は、図２０に示すように、カメラ１８ａと、取付部１６ｂと、支持部１８ｃとを備える。
【０１３０】
カメラ１８ａは、ベッドの利用者を撮影する。
取付部１６ｂは、第１の開口部１６ｂ１を備えている。
【０１３１】
支持部１８ｃは、取付部１６ｂの中心付近に設けられている。
また、支持部１８ｃは、例えばリンク機構で構成されている。
【０１３２】
リンク機構は、第１のリンク部材１８ｃ１と第２のリンク部材１８ｃ２とを備えている。第１のリンク部材１８ｃ１は、一端側が取付部１６ｂに連結される。また、第１のリンク部材１８ｃ１は、他端側が第２のリンク部材１８ｃ２の一端側に連結されている。
第２のリンク部材１８ｃ２は、他端側がカメラ１８ａに連結されている。
【０１３３】
カメラユニット１８は、図２０に示すように、取付部１６ｂに支持部１８ｃを介してカメラ１８ａを回動可能（図中の矢印方向）に支持することで、カメラ１８ａの取付位置や取付向きを変更可能にできる。
なお、支持部１８ｃの構成は、前述した構成に限定されるものではない。
【０１３４】
このように構成することで、第３実施形態によれば、カメラユニット１８を備えることで、ベッドの利用者の状態を撮影することができるので、ベッドの利用者の通常の状態や睡眠状態等を確認することができる。
【０１３５】
（その他の実施形態）
その他の実施形態として、スタンド装置１を構成するユニット１０として、表示モニタ１６ａやカメラ１８ａに換えて、サーモセンサ（体温センサ）や音声認識装置を備えることで生体情報を検出するようにしてもよい。
【０１３６】
また、ユニット１０として、スマートスピーカ等の音声操作制御装置を備えることで、ベッドから情報を発信したり情報を受け取ったりすることが容易にできる。
【０１３７】
なお、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【０１３８】
本発明のスタンド装置は、医療用、介護用のベッド等に利用することができる。
【符号の説明】
【０１３９】
１  スタンド装置
２  ベッド装置
１０  ユニット
１１  第１の照明ユニット（照明装置）
１２  第２の照明ユニット（照明装置）
１３  第１の収納ユニット（収納部）
１３ａ  収納部本体
１３ｂ  開閉カバー
１４  ゴミ箱ユニット
１４ａ  ゴミ容器本体
１４ｂ  開閉カバー
１４ｃ  上部カバー
１４ｄ  支持部
１５  収納ユニット
１５ａ  収納部本体
１５ｂ  開閉カバー
１５ｄ  底板
１６  表示操作モニタユニット
１６ａ  表示モニタ
１７  手すりユニット
１７ａ  第１の開口部
１７ｂ  第２の開口部
１７ｃ  把持部
１８  カメラユニット
１８ａ  カメラ
２０  支柱部
３０  基部
５０  電気配線
１１０  ユニット側接続部
１３１  収納ケース
１３１ａ  収納部
１３１ｂ  電源部
２１０  支柱側接続部
【図１】
2019205508.tif 000003
【図２】
2019205508.tif 000004
【図３】
2019205508.tif 000005
【図４】
2019205508.tif 000006
【図５】
2019205508.tif 000007
【図６】
2019205508.tif 000008
【図７】
2019205508.tif 000009
【図８】
2019205508.tif 000010
【図９】
2019205508.tif 000011
【図１０】
2019205508.tif 000012
【図１１】
2019205508.tif 000013
【図１２】
2019205508.tif 000014
【図１３】
2019205508.tif 000015
【図１４】
2019205508.tif 000016
【図１５】
2019205508.tif 000017
【図１６】
2019205508.tif 000018
【図１７】
2019205508.tif 000019
【図１８】
2019205508.tif 000020
【図１９】
2019205508.tif 000021
【図２０】
2019205508.tif 000022